(57)【要約】【課題】簡易な構成で温蔵室と冷蔵室のスペースを任意の変更でき、また、外観を損うことがないショーケースを提供する。【解決手段】ショーケース本体１０の背部５０と背面パネル５１との間の冷気ダクト１２に連通して冷気を導入する補助冷気ダクト２１と、冷気を吹き出す吹出口２２とを有するエアーカーテンユニット２０とを備えている。エアーカーテンユニット２０を背面パネル５１に対して上下に着脱可能に設置するとともに、天井部３０に収納して設置可能にして、ショーケース本体１０の冷気ダクト１２から冷気を導入することにより、ショーケース本体１０内の商品展示室１１全体を冷蔵室１１ａにすることができる。【選択図】　図１
2004069233.tif 000002
【特許請求の範囲】
【請求項１】
少なくとも天井部と背部と底部とを有するショーケース本体と、ショーケース本体の背部と背面パネルとの間に形成された冷気ダクトと、冷気ダクトに連通して冷気を導入する補助冷気ダクトと補助冷気ダクトに導入された冷気を吹き出す吹出口とを有するエアーカーテンユニットとを備えたショーケースにおいて、
エアーカーテンユニットは、天井部の下面から背面パネルの前面に上下方向の所定位置に着脱可能に設置した
ことを特徴とするショーケース。
【請求項２】
上記エアーカーテンユニットは上記冷気ダクトを上下方向に遮断して冷気ダクトの冷気を補助冷気ダクトに導くダンパを備えた
ことを特徴とする請求項１記載のショーケース。
【請求項３】
上記背面パネルに上下方向に間隔をおいて冷気ダクトに臨む複数の開口部を設けるとともに、各開口部を開閉する摺動板を備えた
ことを特徴とする請求項１又は２記載のショーケース。
【発明の詳細な説明】
【０００１】
【発明の属する技術分野】
本発明は、コンビニエンスストアやスーパーマーケット等で商品陳列に用いられるショーケースに関するものである。
【０００２】
【従来の技術】
従来、温蔵室のスペースを増減できるショーケースとして、図６に示すように、特開平７−１０３６４３号公報に記載されたものが知られている。
【０００３】
このショーケース１は、上面側にヒータを、下面側に冷気ダクト１２に連通した補助冷気ダクト２１を備えた区画棚２０’を背面パネル５１に沿って上下に移動させて、区画棚２０’の上方の温蔵室１１ａと冷蔵室１１ｂのスペースを増減させられるようになっている。
【０００４】
【発明が解決しようとする課題】
ところで、上記従来のショーケース１において、商品Ａの冷却と加温を同時に行うときは、区画棚２０’下面に設けられた補助冷気ダクト２１に、ショーケース本体１０背面の冷気ダクト１２を通じて冷気を導入して冷蔵室１１ｂの商品Ａを冷却するようになっている。また、特に冷蔵室１１ｂを広く設定する場合には、この区画棚２０’を天井に近い場所に設置して、十分に商品Ａを冷却する必要がある。そのため、この補助冷気ダクト２１及び吹出口２２は、通常ショーケース本体１０の天井部３０に形成された冷気ダクト１２及び吹出口３４と同等の性能を持つようになっている。
【０００５】
しかし、このように区画棚２０’を天井部３０に近接して設置する場合、ショーケース本体１０の天井部３０に設けられた冷気ダクト１２及び吹出口３４がほとんど不要となり、無駄なコストと電力が生じていた。また、上記従来のショーケース１では、商品展示室１１全体を冷却するときは天井部３０に設けられた吹出口３４から冷気が吹き出されていた。このとき、補助冷気ダクト２１は不要であるにもかかわらず、区画棚２０’はショーケース本体１０内に設置されたままであるため、商品展示室１１の棚が分断された印象を与え、商品Ａの配置の自由を制限するという問題があった。
【０００６】
本発明は、上記事情に鑑みてなされたものであり、その目的とするところは、簡易な構成で温蔵室と冷蔵室のスペースを任意に変更でき、また、外観を損うことがないショーケースを提供することにある。
【０００７】
【課題を解決するための手段】
上記目的を達成するため、請求項１記載の発明は、少なくとも天井部と背部と底部とを有するショーケース本体と、ショーケース本体の背部と背面パネルとの間に形成された冷気ダクトと、冷気ダクトに連通して冷気を導入する補助冷気ダクトと補助冷気ダクトに導入された冷気を吹き出す吹出口とを有するエアーカーテンユニットとを備えたショーケースにおいて、エアーカーテンユニットは、天井部の下面から背面パネルの前面に上下方向の所定位置に着脱可能に設置している。これにより、エアーカーテンユニットを天井部に収納させれば、ショーケース本体の商品展示室全体を冷却することができる。
【０００８】
また、請求項２の発明は、請求項１に係るショーケースにおいて、上記エアーカーテンユニットは上記冷気ダクトを上下方向に遮断して冷気ダクトの冷気を補助冷気ダクトに導くダンパを備えている。これにより、エアーカーテンユニット上面に冷気が導入されないようにして、商品展示室を温蔵室と冷蔵室とに区分けすることができる。
【０００９】
また、請求項３発明は請求項１又は２記載のショーケースにおいて、上記背面パネルに上下方向に間隔をおいて冷気ダクトに臨む複数の開口部を設けるとともに、各開口部を開閉する摺動板を備えている。これにより、摺動板により背面パネルの各開口部を閉鎖することができる。
【００１０】
【発明の実施の形態】
図１乃至図５は本発明に係るショーケースの一実施形態を示すもので、図１はショーケースを示す側面の断面図である。尚、従来技術と同一構成部分は同一符号をもって表す。
【００１１】
まず、図１に示すように、このショーケース１はオープンタイプで、前方を開放する商品展示室１１が形成されたショーケース本体１０と、商品展示室１１を温蔵室１１ａと冷蔵室１１ｂに上下に区分するエアーカーテンユニット２０とを備えている。ショーケース本体１０は、天井部３０、底部４０、背部５０とから構成され、商品展示室１１の左右両側は透明ガラス板（図示せず）により閉じられている。底部４０及び背部５０には、各部４０、５０に沿って延在された冷気ダクト１２を有するとともに、冷気ダクト１２内に冷却機器４１を構成する蒸発器用送風機４１ａ及び蒸発器４１ｂを設置し、冷気ダクト１２に冷気を流通・循環させている。
【００１２】
商品展示室１１内には棚１３が６段配置されている。各棚１３は、ボトル等の商品Ａを載置する棚板１３ａと、棚板１３ａを左右で支持する棚受け１３ｂとから構成されている。棚受け１３ｂの後端には上下に鉤状のフック１３ｃが形成されている。このフック１３ｃを背部５０の両側面に設けた棚柱１４に形成された多数の引っ掛け穴１４ａのうち、所定の引っ掛け穴１４ａに係脱することにより、棚１３の位置を任意に変えることができるようになっている。また、各棚１３は、ヒータ（図示せず）を内蔵できるようになっており、棚１３の上に載置された商品Ａの加温時には、ヒータに通電して棚１３の商品Ａが加温されて温蔵室１１ａを形成するようになっている。
【００１３】
天井部３０は、水平の断熱板３１と断熱板３１の両側から下方に延在した上側板３２とを有し、天井部３０の前端は前面パネル３３で遮蔽されている。また、従来のショーケース１のように冷気ダクト１２及び吹出口３４を有しておらず、天井部３０の下面は下方に向かって開口されている。
【００１４】
背部５０は背面パネル５１と断熱板からなる背板５２とから構成されている。背面パネル５１は、エアーカーテンユニット２０に冷気を導入させるための開口部５１ａを上下に複数箇所有している。
【００１５】
この開口部５１ａは、図２に示すように、背面パネル５１とほぼ同じ幅で形成されている。また、背面パネル５１には、開口部５１ａを開閉する摺動板５３が設けられている。この摺動板５３は、背面パネル５１に沿って上下方向に摺動可能になっている。この摺動板５３には、縦長のねじ貫通穴５４が設けられ、段付ねじ５５をねじ貫通穴５４を介して背面パネル５１のねじ止め穴（図示せず）に固定することにより、摺動させた摺動板５３を背面パネル５１に固定させることができる。
【００１６】
エアーカーテンユニット２０は、下面に補助冷気ダクト２１を備え、補助冷気ダクト２１の前端に吹出口２２を備えている。ショーケース本体１０の冷気ダクト１２より導入される冷気は吹出口２２から流下されて、エアーカーテンとなり、下方の棚１３の商品Ａを冷却して冷蔵室１１ｂを形成している。
【００１７】
エアーカーテンユニット２０の上部の後端には、図３及び図４に示すように、ダンパ２３が形成されている。このダンパ２３は、左右両端側にレール構造２４を備えたもので、ダンパ２３に軸支したローラ２５が回転して補助冷気ダクト２１に対して前後方向にスライド可能になっている。
【００１８】
このスライド構造は、図３及び図４に示すように、エアーカーテンユニット２０の下部に設けられた操作部２６と連動している。この操作部２６は、操作つまみ２６ａと連結プレート２６ｂとを有し、操作つまみ２６ａを連結プレート２６ｂの先端にネジ止めする一方、連結プレート２６ｂの後端をダンパ２３の前端にネジ止めしている。また、エアーカーテンユニット２０の下板２０ａには前後方向に延在された長孔２０ｂを有し、この長孔２０ｂに操作つまみ２６ａを貫通させている。これにより、操作つまみ２６ａの前後操作に応じて前後方向にスライドし（矢印参照）、補助冷気ダクト２１の開閉が可能になっている。例えば、操作つまみ２６ａを後方向に押すとダンパ２３は背板５２に設けられた吸着部材２７により吸着される。そうすると、冷気ダクト１２では、エアーカーテンユニット２０よりも上方向に冷気が流れず、エアーカーテンユニット２０のダンパ２３にを通じて、補助冷気ダクト２１内に導入される。反対に操作つまみ２６ａを前方向に引くとダンパ２３は解放され、冷気が冷気ダクト１２を通ってショーケース本体１０の天井部３０にまで達する。
【００１９】
エアーカーテンユニット２０の後端には、図５に示すように、棚１３と同様に棚柱１４の引っ掛け穴１４ａに引っ掛けることで設置可能な複数のフック２８が上下に設けられており、棚柱１４の任意の位置に設置できるようになっている。
【００２０】
このような構成におけるショーケース１において、温蔵室１１ａを設ける場合には、まず、温蔵室１１ａと冷蔵室１１ｂとを区分けしたい位置に開口部５１ａと補助冷気ダクト２１とを対向状態でエアーカーテンユニット２０を設置する。そして、エアーカーテンユニット２０の操作つまみ２６ａを後方に向かって押して、ダンパ２３を背板５２の吸着部材２７に吸着させる。この状態では、冷気ダクト１２はダンパ２３で遮断されて、エアーカーテンユニット２０の補助冷気ダクト２１に冷気が導入されるので、エアーカーテンユニット２０より下に設置された棚１３の商品Ａのみを冷却することができる。エアーカーテンユニット２０より上の棚１３の商品Ａは、棚１３のヒータに通電して加温することができる。
【００２１】
このとき、エアーカーテンユニット２０が装着された背面パネル５１の開口部５１ａは下方向に摺動板５３をスライドさせて開口しており、これにより冷気ダクト１２から冷気をエアーカーテンユニット２０の補助冷気ダクト２１に導入する。エアーカーテンユニット２０を装着しない開口部５１ａは、上方向に摺動板５３をスライドさせて、段付ねじ５５で固定することで覆われる。
【００２２】
一方、夏期など商品展示室１１内の商品Ａすべてを冷却したい場合には、図５に示すように、エアーカーテンユニット２０を棚柱１４の引っ掛け穴１４ａの最上段に引っ掛けて設置する。そうすると、エアーカーテンユニット２０は天井部３０の下面に収納された状態で設置することができる。そして、ショーケース本体１０の冷気ダクト１２から、冷気がエアーカーテンユニット２０の補助冷気ダクト２１に導入され、吹出口２２から流出してエアーカーテンを形成し、商品展示室１１全体が冷蔵室１１ｂとなる。
【００２３】
また、冬期など商品展示室１１内の商品Ａをすべて加温したい場合には、各棚１３のヒータに通電させるとともに、エアーカーテンユニット２０を天井部３０に収納させれば、上側板３２及び前面パネル３３により、外から見えなくなる。
【００２４】
このように、本実施形態によれば、下面に補助冷気ダクト２１を備えてショーケース本体１０の冷気ダクト１２から冷気を導入して冷蔵室１１ｂ内の商品Ａを冷却することができる。また、エアーカーテンユニット２０をショーケース本体１０の天井部３０に収まるように設置したので、商品展示室１１内の全ての商品Ａを冷却又は加温するときは、エアーカーテンユニット２０を天井部３０の下面に配置すればよい。そのため、従来ショーケース本体１０の天井部３０に別途設けていたダクト構造が不要になり部品点数を削減してコストダウンを図ることができる。また、このとき商品展示室１１にはエアーカーテンユニット２０が設置されたままになっていることがなく、外部からは見えないので、商品展示室１１を区分けした印象を顧客に与えることがない。
【００２５】
尚、前記実施形態では、棚板１３ａを棚受け１３ｂで支持した棚１３について説明したが、棚板１３ａと棚受け１３ｂとの間に連結部材（図示せず）を設け、棚板１３ａを前後に摺動可能に連結させると、商品Ａの補充作業が楽になる点で好ましい。
【００２６】
【発明の効果】
以上詳述したように、本発明に係るショーケースによれば、ショーケース本体全体を冷却又は加温するときに、天井部の下面にエアーカーテンユニットを配置することができるので、従来、天井部に別途設けていたダクト構造が不要となり、部品数を減らしコストの削減を図ることができる。また、このとき、エアーカーテンユニットは天井部に収納されて外部からは見えないようになっているので、商品展示室の棚を分断した印象を与えることがなく、外観を向上させ、商品展示室のスペースを広げて、商品を自由に展示することができる。
【図面の簡単な説明】
【図１】本発明の一実施形態を示すショーケースの側面断面図。
【図２】背面パネルの要部説明図。
【図３】エアーカーテンユニットの要部説明図。
【図４】エアーカーテンユニットの要部説明図。
【図５】エアーカーテンユニットを設置した天井部の側面断面図。
【図６】従来のショーケースを示す側面断面図。
【符号の説明】
１…ショーケース、１０…ショーケース本体、２０…エアーカーテンユニット、２６…操作部、３０…天井部、４０…底部、５０…背部、５１…背面パネル、５３…摺動板。
【図１】
2004069233.tif 000003
【図２】
2004069233.tif 000004
【図３】
2004069233.tif 000005
【図４】
2004069233.tif 000006
【図５】
2004069233.tif 000007
【図６】
2004069233.tif 000008